(57)【要約】【課題】  台風や地震などの非常事態が生じた場合は、暖房のためだけでなく、照明灯等の電気器具に電気を供給できる薪ストーブ装置を提供する。【解決手段】  薪ストーブ本体３と、この薪ストーブ本体３に連結して立設された煙突１７と、前記薪ストーブ本体３の上部に設けられ、かつ、予め水１９が収容されると共にこの水１９を蒸気に変換せしめるボイラ室２１と、このボイラ室２１に蒸気パイプ２５を介して連結された蒸気タービン２９と、この蒸気タービン２９の回転により回転駆動される発電機３５と、この発電機３５に接続した電気器具としての例えば照明灯３７と、を有していることを特徴とする。【選択図】  図１
2007170730.tif 000002
【特許請求の範囲】
【請求項１】
薪ストーブ本体と、この薪ストーブ本体に上下方向へ延伸して連結された煙突と、前記薪ストーブ本体の上部に設けられ、かつ、予め水が収容されると共にこの水を蒸気に変換せしめるボイラ室と、このボイラ室に蒸気パイプを介して連結された蒸気タービンと、この蒸気タービンの回転により回転駆動される発電機と、この発電機に接続した電気器具と、を有していることを特徴する薪ストーブ装置。
【請求項２】
前記電気器具が、前記発電機の電気により点灯する照明灯であることを特徴とする請求項１記載の薪ストーブ装置。
【請求項３】
前記タービン室が、前記煙突の上下方向の一部に煙突内に蒸気排出口を介して連通するように取り付けられていることを特徴とする請求項１又は２記載の薪ストーブ装置。
【請求項４】
前記蒸気パイプの上下部を除いた主要部分が前記煙突内に設けられていることを特徴とする請求項１、２又は３記載の薪ストーブ装置。
【発明の詳細な説明】
【技術分野】
【０００１】
この発明は、薪ストーブ装置に関し、特に台風や地震などの非常事態が生じた場合に、薪ストーブの発熱を利用して発電し、この発電された電気により照明灯を点灯したり、他の電気器具に電気を供給することを可能とする薪ストーブ装置に関する。
【背景技術】
【０００２】
近年、台風や地震などの災害により、土砂崩れなどで周辺の道路が寸断され、事実上孤立した地区では、停電が何日間も続いたために、ローソクをともして灯りをとり、電話が通じず、テレビのスイッチが入らないために、外部の情報が入らないという事態が生じた。あるいは、豪雪地帯においては、冬場の大雪の時には月に一、二度停電するということもある。
【０００３】
このような事態に対処するために種々の対策や防災等が考慮されているが、本発明者は、一般的に使用されている薪ストーブ装置を有効利用して上記のような非常事態に対処するための薪ストーブ装置を開発した。
【０００４】
従来、薪などの燃料を燃焼させる薪ストーブ装置としては、例えば、特許文献１及び特許文献２に掲載されたものが知られている。薪ストーブ装置は、薪である燃料を投入して燃焼させる例えば筒状の炉体の上部開口部に開閉蓋体が設けられている。しかも、前記炉体内の下部には炉体の底面よりやや浮上した位置にロストルが配設されており、ロストルの下方には炉体内へ外部から空気を供給するための空気供給室が設けられている。また、炉体には燃焼した排煙や排ガスを建物の外部へ排出するための煙突が連結されている。そして、上記の燃料を完全燃焼させるための種々の工夫がなされている。
【特許文献１】特開２０００−４６３３４号公報
【特許文献２】特開２００４−７７０６０号公報
【発明の開示】
【発明が解決しようとする課題】
【０００５】
ところで、従来の薪ストーブ装置においては、前述したように薪である燃料を如何に完全燃焼するかを目的として種々の開発が行われているが、薪ストーブ装置を有効利用して照明灯等の電気器具に電気を供給するための開発は行われていなかった。通常は、普通の薪ストーブ装置として室内を暖房するために使用し、台風や地震などの非常事態が生じた場合は、暖房のためだけでなく、照明灯等の電気器具に電気を供給することにも利用できるようにすることは、近年の状況を考えると大いに望まれることである。
【０００６】
この発明は上述の課題を解決するためになされたものである。
【課題を解決するための手段】
【０００７】
上記発明が解決しょうとする課題を達成するために、この発明の薪ストーブ装置は、薪ストーブ本体と、この薪ストーブ本体に上下方向へ延伸して連結された煙突と、前記薪ストーブ本体の上部に設けられ、かつ、予め水が収容されると共にこの水を蒸気に変換せしめるボイラ室と、このボイラ室に蒸気パイプを介して連結された蒸気タービンと、この蒸気タービンの回転により回転駆動される発電機と、この発電機に接続した電気器具と、を有していることを特徴するものである。
【０００８】
この発明の薪ストーブ装置は、前記薪ストーブ装置において、前記電気器具が、前記発電機の電気により点灯する照明灯であることが好ましい。
【０００９】
この発明の薪ストーブ装置は、前記薪ストーブ装置において、前記タービン室が、前記煙突の上下方向の一部に煙突内に蒸気排出口を介して連通するように取り付けられていることが好ましい。
【００１０】
この発明の薪ストーブ装置は、前記薪ストーブ装置において、前記蒸気パイプの上下部を除いた主要部分が前記煙突内に設けられていることが好ましい。
【発明の効果】
【００１１】
以上のごとき課題を解決するための手段から理解されるように、この発明によれば、薪ストーブ本体の上部に設けたボイラ室に水が供給され、薪ストーブ本体に供給された薪である燃料が燃焼すると、ボイラ室の水が沸騰して水蒸気が発生する。このボイラ室の水蒸気は蒸気パイプを経て蒸気タービンのタービン室に供給されて蒸気タービンが回転される。発電機が蒸気タービンにより回転駆動されて発電し、この電気は電気器具としての例えば照明灯に供給されて照明灯が点灯する。
【００１２】
したがって、台風や地震などで何日間も電気が供給されない非常事態が起きたとしても、この薪ストーブ装置を使用することにより、暖房をとるためだけでなく、電気器具に電気を供給して例えば照明灯を点灯できる。また、通常は、単に暖房をとるための薪ストーブ装置として使用できる。
【発明を実施するための最良の形態】
【００１３】
以下、この発明の実施の形態について図面を参照して説明する。
【００１４】
図１及び図２を参照するに、この実施の形態に係る薪ストーブ装置１としては、立設された薪ストーブ本体３を備えており、この薪ストーブ本体３が、例えば幅、奥行き、高さが、それぞれ１ｍほどの直方体形状をなしている。そして、この薪ストーブ本体３の内部を上下に仕切る火床５が設けられ、この火床５の上部には薪である燃料を燃焼するための燃焼室７が設けられている。前記火床５の下部には燃焼室７へ空気を供給すると共に前記燃焼室７で燃焼した灰を落下せしめるための空気供給室９が設けられている。
【００１５】
また、薪ストーブ本体３の側壁には、前記燃焼室７に上記の薪である燃料を投入するための燃料投入口１１と、この燃料投入口１１を被蓋する蓋体１３が設けられている。また、外気を前記空気供給室９に供給すると共にこの供給される空気量を調整するための空気調整口１５が設けられている。
【００１６】
なお、上記の火床５はストーブ本体３の内部で上下方向に位置調整自在に設けられ、燃焼室７の容積を変更できるように構成されている。
【００１７】
また、上記の薪ストーブ本体３の上部には、前記燃焼室７の排煙や排ガスを排出するための煙突１７が前記燃焼室７に連通するように上下方向に延伸して連結されている。前記薪ストーブ本体３の上部のほぼ中央位置に、すなわち、前記燃焼室７の上部の平面でほぼ中央位置には、予め水１９が収容されると共にこの水１９を水蒸気に変換せしめるボイラ室２１が設けられている。このボイラ室２１の上面には、ボイラ室２１に水１９を供給すると共にボイラ室２１内の蒸気圧を調整するための圧力調整蓋２３が設けられている。すなわち、前記圧力調整蓋２３は水供給口と蒸気圧の安全弁を兼用している。なお、ボイラ室２１に供給される水１９は、川水、雪など、どんな水１９でもよく、ボイラ室２１には例えば３リットル程度の水１９が収容される。
【００１８】
また、上記の煙突１７の上下方向の一部には、ボイラ室２１に蒸気パイプ２５を介して連結されるタービン室２７を備えた蒸気タービン２９が設けられている。すなわち、ボイラ室２１の水蒸気が蒸気パイプ２５を経てタービン室２７に供給され、この供給された水蒸気が蒸気パイプ２５の先端に取り付けられた図示しないタービンノズルによって噴射され、その噴射力によってタービン室２７の羽根車３１が回転するように構成されている。なお、上記のタービン室２７は、羽根車３１を回転した後の減圧された水蒸気を排出するために上記の煙突１７内に連通する蒸気排出口３３を介して取り付けられている。
【００１９】
また、上記の蒸気パイプ２５の上下部を除いた主要部分が前記煙突１７内を配管するように構成されていることが、蒸気パイプ２５内を通過する水蒸気が煙突１７内の熱により再加熱できるという点で、望ましい。しかし、蒸気パイプ２５は煙突１７の外部に設けられていても、室内が薪ストーブ装置１により暖房されているので、極端に冷却されることがない。あるいは、蒸気パイプ２５の外周が断熱材などで覆われることにより水蒸気の温度低下を防ぐことができる。
【００２０】
なお、上記の蒸気タービン２９は、この実施の形態では前記煙突１７の上下方向の一部に取り付けられているが、必ずしも煙突１７に取り付けられなくても、室内の任意の場所に設けられてもよい。この場合、蒸気タービン２９で羽根車３１を回転した後の減圧された水蒸気は、室内の湿度を上げるための加湿となるので、室内が乾燥している場合は室内に放出されても構わない。あるいは、蒸気排出管などにより室外へ排出してもよい。
【００２１】
また、上記の蒸気タービン２９の羽根車３１の回転軸３１Ａに連結されて回転駆動される発電機３５が前記蒸気タービン２９に一体的に設けられている。この発電機３５が蒸気タービン２９で回転駆動されることにより、電気器具としての例えば電球である照明灯３７を点灯するための電気が発電される。
【００２２】
また、上記の発電機３５には照明灯３７が図示しない電線を介して接続されている。この実施の形態では、照明灯３７は内部に電線を挿通する配線用パイプ３９などの配線用支柱により発電機３５に直接的に取り付けられているが、電線を延長して室内の任意の箇所に取り付けられてもよい。なお、照明灯３７は前記発電機３５の電気により点灯する程度のものである。
【００２３】
さらに、電気器具としては、上記の照明灯３７の他に、例えば携帯電話や携帯電話を充電するための充電用アダプタ、あるいは他の電気器具が電線を介して接続されても良い。
【００２４】
上記構成により、この実施の形態の薪ストーブ装置１の作用を説明すると、薪ストーブ本体３の上部に設けた圧力調整蓋２３を開閉し、ボイラ室２１に例えば３リットル程度の水１９を供給する。また、薪ストーブ本体３の側壁の蓋体１３を開閉して燃料投入口１１から薪である燃料を燃焼室７内に供給し、前記燃料を燃焼する。
【００２５】
ボイラ室２１の例えば３リットル程度の水１９は例えば１０〜１５分程度で２０°Ｃから１００°Ｃに上昇して沸騰し、水蒸気が発生する。このボイラ室２１の水蒸気は蒸気パイプ２５を経て蒸気タービン２９のタービン室２７に供給される。このとき、蒸気パイプ２５はその上下部を除いた主要部分が煙突１７内に配管されているので、この部分を通過する水蒸気が煙突１７内の熱により１２０°Ｃ〜１４０°Ｃに再加熱される。
【００２６】
蒸気タービン２９では、蒸気パイプ２５で供給された水蒸気が図示しないタービンノズルから噴射されてタービン室２７の羽根車３１が回転される。羽根車３１を回転した後の減圧された水蒸気は蒸気排出口３３を通過して煙突１７内に排出され、排煙や排気ガスと共に建物外に排出される。
【００２７】
したがって、蒸気タービン２９の羽根車３１の回転軸３１Ａに連結された発電機３５が回転駆動されるので、発電機３５により電気が発電される。そして、この発電機３５の電気が電線により供給されて照明灯３７が点灯することになる。
【００２８】
なお、薪ストーブ本体３の上部には水１９を入れたヤカンや水タンク等の補助タンク４１を載せて常時湯を沸かしておくことにより、例えばボイラ室２１の例えば３リットル程度の水１９が１時間程度でなくなるとしても、その都度、上記の補助タンク４１の湯がボイラ室２１に供給されることにより、上記の発電機３５の発電が殆ど中断されることなく、連続して照明灯３７に電気を供給することができる。
【００２９】
したがって、台風や地震などの非常事態が生じた場合に、何日間も電気が供給されない事態が起きたとしても、あるいは、たとえ上記のような災害により土砂崩れなどで周辺の道路が寸断されて地域が孤立してしまったとしても、この実施の形態の薪ストーブ装置１を使用することにより、暖房をとるためだけでなく、室内を照明することができる。
【００３０】
また、他の実施の形態としては、上記の発電機３５による電気を利用して携帯電話に電気を供給することができるので、たとえ上記のような災害で地域が孤立してしまったとしても、携帯電話で外部との連絡を取ることができる。
【００３１】
なお、通常、この実施の形態の薪ストーブ装置１による照明灯３７の灯りを必要としないときは、ボイラ室２１に水１９を入れないで、単に通常の薪ストーブ装置として使用することができる。
【００３２】
また、燃料としては種類を選ばないので、例えば上記のような災害などで破壊された木造建築などの解体材等をリサイクルとして有効利用することができる。
【図面の簡単な説明】
【００３３】
【図１】この発明の実施の形態の薪ストーブ装置の断面を示す全体的な側面図である。
【図２】図１の矢視ＩＩ−ＩＩ線における要部断面を示す平面図である。
【符号の説明】
【００３４】
１  薪ストーブ装置
３  薪ストーブ本体
５  火床
７  燃焼室
９  空気供給室
１７  煙突
１９  水
２１  ボイラ室
２３  圧力調整蓋
２５  蒸気パイプ
２７  タービン室
２９  蒸気タービン
３１  羽根車
３１Ａ  回転軸
３３  蒸気排出口
３５  発電機
３７  照明灯（電気器具）
３９  配線用パイプ
４１  補助タンク
【図１】
2007170730.tif 000003
【図２】
2007170730.tif 000004